(57)【要約】【課題】  注ぎやすく、冷蔵庫の汎用のポケットに適切に収容される飲料用ボトル容器を提供する。【解決手段】  飲料用ボトル容器であって、プラスチックを主原料とし、開閉栓可能なキャップがカンゴウ可能な口部を有し、容量が800ml以上1500ml以下で、ボトル高さが190mm以上230mm以下であり、中味を充填した際の重心が100mm以下であり、かつ、重心とボトル口部の頂部との距離が60mm以上140mm以下であり、かつ、幅と奥行きの寸法の比率（幅／奥行き）が1.1以上1.7以下あり、コーナーにC5以上C20以下の面取りもしくはR5以上R20以下の円弧落としを有し、延伸成形法により成形される。【選択図】  図１
2007039109.tif 000002
【特許請求の範囲】
【請求項１】
プラスチックを主原料とし、開閉栓可能なキャップがカンゴウ可能な口部を有し、容量が800ml以上1500ml以下で、ボトル高さが190mm以上230mm以下であり、中味を充填した際の重心が100mm以下であり、かつ、重心とボトル口部の頂部との距離が60mm以上140mm以下であり、かつ、幅と奥行きの寸法の比率（幅／奥行き）が1.1以上1.7以下あり、コーナーにC5以上C20以下の面取りもしくはR5以上R20以下の円弧落としを有し、延伸成形法により成形されることを特徴とした飲料用ボトル容器。
【請求項２】
主原料がポリエチレンテレフタレートおよびポリプロピレンであることを特徴とする請求項１に記載の飲料用ボトル容器。
【請求項３】
容器寸法の奥行きが54.6mm以上かつ88.0mm以下であり、PFからの横延伸倍率が2.2以上かつ4.0未満であり、かつ縦延伸倍率が1.5以上2.3未満であることを特徴とする請求項１、又は２に記載の飲料用ボトル容器。
【請求項４】
ボトル肩部のテーパーが25°以上45°以下であることを特徴とする請求項１−３のいずれか１に記載の飲料用ボトル容器。
【請求項５】
ボトル側面２面以上に減圧吸収可能なパネル面を有することを特徴とする請求項１−４のいずれか１に記載の飲料用ボトル容器。
【請求項６】
ボトルの周上に連続した凹みリブを有することを特徴とする請求項１−５のいずれか１に記載の飲料用ボトル容器。
【請求項７】
使用する樹脂原料の量が30g以上、60g未満であり、中味を充填した際の縦荷重強度が15kg以上であることを特徴とする請求項１−６のいずれか１に記載の飲料用ボトル容器。
【請求項８】
２次包装のためのケース入数が１２本以下であり、ケース高さが200mm以上かつ230mm以下である請求項１−３のいずれか１に記載の飲料用ボトル容器。
【請求項９】
短辺からなるボトル側面２面の少なくとも１面に商品種を認識できるデザインが配されることを特徴とする請求項１−７のいずれか１に記載の飲料用ボトル容器。
【発明の詳細な説明】
【技術分野】
【０００１】
本考案は液体を充填し、キャッピングを行うことにより密封性を有する飲料用ボトル容器に関するものであり、特に近年使用量の増加が著しい飲料用プラスチックボトルに関するものである。
【背景技術】
【０００２】
近年、ポリエチレンテレフタレートを主原料とした飲料用ボトル容器はリシールでき、軽く、割れないといった利点より主な飲料用容器として使われている。そのサイズは100ml前後の小さなものから2000mlまで幅広い用途で用いられている。1500ml・2000mlといった大型サイズの容器は家庭用サイズと多く用いられているが、女性・子供・お年寄り・身障者といった力の弱い方々にとっては重く、注ぎにくいといった問題があった。
【０００３】
また、近年、単身世帯の増加および少子高齢化により世帯構成人数の減少が起こっており、従来の1500mlや2000mlといった大型サイズでは多すぎて飲み残してしまうといった声も見受けられるようになった。
【０００４】
そのため、近年、一般的に広く使われている500mlサイズ以下の小型サイズと1500〜2000mlの大型サイズの中間である900ml・1000mlといった中型サイズの飲料製品の需要が伸びてきている。これらポリエチレンテレフタレート（以下PETと称す）を主原料とする中型サイズの飲料製品に対しては直径Φ85.0mmで高さが250mmサイズの円形断面を有する容器、あるいは、一辺が70.5mmで高さが260mmである正方形断面の容器が用いられている。
【０００５】
一方、これら飲料を家庭内で保存するための家庭用冷蔵庫は、大型サイズのPETボトルを収納できるようなポケットが設けられており、また、一般的に広く用いられている500ml小型サイズのPETボトルを収納できるようなポケットも併設されている場合が多い。
【０００６】
これらの冷蔵庫ポケットに対して、直径Φ85.0mmで高さが250mmサイズの円形断面を有する容器、あるいは、一辺が70.5mmで高さが260mmである正方形断面の容器では家庭用冷蔵庫の大型サイズのPETボトルを収納できるポケットにしか収納できず、収納スペースが手狭になるといった問題を抱えている。
【０００７】
また、上記ポケット以外の通常の収納スペースに横置きにしておく場合、円形断面を有する容器では転がって安定感がなく、また、後者のボトルにおいても高さが高く、正方形断面形状のため、収納効率が悪いといった問題を抱えていた。
【０００８】
さらに、スーパー・コンビニエンスストアといった飲料売り場において、商品を並べる棚の高さが大型サイズであれば高さ310mmの製品が入るように、かつ、小型サイズであれば高さ230mmの製品が入るように設計されていることが多い。
【０００９】
これらの売り場において、従来の中型サイズPETボトル形状では大型サイズの製品と同様の取り扱いを行わなければならず、また、高さ方向のスペース効率も非常に悪いといった問題を抱えていた。
【００１０】
また、従来の中型サイズPETボトルは高さが高く、また、重心位置と口部の距離が離れているためグラスに注ぐ際に注ぎにくいという問題も抱えていた。
【発明の開示】
【発明が解決しようとする課題】
【００１１】
近年増加が見込まれる中型サイズの飲料用ポリエチレンテレフタレートを主原料とする飲料用容器において、消費者が家庭内飲用時に収納する家庭用冷蔵庫の様々なスペースに効率よく収納でき、かつ、販売時にも500mlサイズから大型サイズまであらゆるスペースの棚へ効率よく陳列できるよう考慮され、かつ消費者が使用する際に持ちやすく、かつ、グラスなどへ注ぐ際に注ぎやすい飲料用ボトルを提供することである。
【課題を解決するための手段】
【００１２】
すなわち、請求項１の発明はプラスチックを主原料とし、開閉栓可能なキャップがカンゴウ可能な口部を有し、容量が800ml以上1500ml以下で、ボトル高さが190mm以上230mm以下であり、中味を充填した際の重心が100mm以下であり、かつ、重心とボトル口部の頂部との距離が60mm以上140mm以下であり、かつ、幅と奥行きの寸法の比率（幅／奥行き）が1.1以上1.7以下あり、コーナーにC5以上C20以下の面取りもしくはR5以上R20以下の円弧落としを有し、延伸成形法により成形されることを特徴とした飲料用ボトル容器である。
【００１３】
請求項２の発明は、請求項１記載の発明において、主原料がポリエチレンテレフタレートおよびポリプロピレンであることを特徴とした飲料用ボトル容器である。
【００１４】
請求項３の発明は、請求項１・２記載の発明において、容器寸法の奥行きが54.6mm以上かつ88.0mm以下であり、PFからの横延伸倍率が2.2以上かつ4.0未満であり、かつ縦延伸倍率が1.5以上2.3未満であることを特徴とする飲料用ボトル容器である。
【００１５】
請求項４の発明は、請求項１〜３記載の発明において、ボトル肩部のテーパーが25°以上45°以下であることを特徴とする飲料用ボトル容器である。
【００１６】
請求項５の発明は、請求項1〜４記載の発明において、ボトル側面２面以上に減圧吸収可能なパネル面を有することを特徴とする飲料用ボトル容器である。
【００１７】
請求項６の発明は、請求項１〜５記載の発明において、ボトルの周上に連続した凹みリブを有することを特徴とする飲料用ボトル容器である。
【００１８】
請求項７の発明は、請求項１〜６記載の発明において、使用する樹脂原料の量が30g以上、60g未満であり、中味を充填した際の縦荷重強度が15kg以上であることを特徴とする飲料用ボトル容器である。
【００１９】
請求項８の発明は、請求項1〜７記載の発明において、２次包装のためのケース入数が１２本以下であり、ケース高さが200mm以上かつ230mm以下である飲料用ボトル容器である。
【００２０】
請求項９の発明は、請求項1〜７記載の発明において、短辺からなるボトル側面２面の少なくとも１面に商品種を認識できるデザインが配されることを特徴とする飲料用ボトル容器である。
【発明の効果】
【００２１】
本発明により、消費者が家庭内飲用時に収納する家庭用冷蔵庫の様々なスペースに効率よく収納でき、かつ、販売時にも500mlサイズから大型サイズまであらゆるスペースの棚へ効率よく陳列できるよう考慮され、かつ消費者が使用する際に持ちやすく、かつ、グラスなどへ注ぐ際に注ぎやすい飲料用ボトルを提供することができる。
【発明を実施するための最良の形態】
【００２２】
本発明に基づく容器を図１に示す。
【００２３】
本発明はポリエチレンテレフタレートを主とする原料からなるボトル７であり、開栓可能なキャップがカンゴウ可能な口部１を有する。ここで、ボトルを構成する原料はポリエチレンテレフタレートの単一材料からなるものや、ポリアミドなどの異材質をブランドしたもの、または、ポリエチレンテレフタレートでポリアミド・エチレン-ビニルアルコール共重合体などの異材質をサンドイッチ状にはさみこみ多層状に形成した構成の容器が考えられるが、容器内に充填される内容物の要求するバリア性により材質が選択されるものであり、ポリエチレンテレフタレートを主原料とし、延伸成形可能なものであれば特に限定される必要はない。
【００２４】
また、ボトルに使用する樹脂量は30g以上であり、かつ、60g未満であることが好ましく、30g未満であればボトル強度・バリア性に問題が生じ、60g以上であれば成形サイクルがあがり・コスト増加も見込まれ・さらに、ボトル強度が強すぎるなどの問題が生じる。
【００２５】
ここで、本発明を実施する延伸成形において、プリフォームからの横延伸倍率は、2.3以上かつ4.0未満であり、かつ縦延伸倍率が1.5以上2.3未満であることが好ましく、この範囲内であれば均一にボトル成形を行うことができる。
【００２６】
容器の容量は持ちやすさ・注ぎやすさ・世帯での使用量を考えると800ml以上1500ml以下の中型サイズであることが好ましく、特に1000ml程度の容量であればなお好ましい。
また、容器のサイズに関しては、広く流通されている500mlPETボトル同等の高さとなるように高さが230mm以下であることが好ましい。
【００２７】
さらに、持ちやすさ・注ぎやすさをさらに改善させるために、中味を充填した際の重心が100mm以下であり、かつ、重心とボトル口部の距離が130mm以下とすることで、安定して製品をつかむ際には重心付近をつかめばよく、重心付近から口部の距離が短いとグラスに注ぐ際の距離が短くなるため、注ぎやすくなるといった効果が生まれる。
【００２８】
一方、幅と奥行きの寸法の比率（幅／奥行き）は1.1以上であることが好ましく、比率が上がることにより扁平度が高くなり、つかみやすく、ボトルの全高さを低くできるといった効果がある。奥行きサイズに関しては54.6mm以上かつ88.0mm以下であることが好ましく、このサイズとすることで家庭内冷蔵庫の大型製品収納ポケットに収納することが可能となる。形状に関してはより角型であることがスペース効率上好ましいが、平滑な平面では容器内が減圧になった場合に不均一にへこんでしまうなどの問題が発生するため、ボトル側面少なくとも２面以上に減圧吸収可能なパネル面を有することが好ましい。この減圧吸収パネルは容器を持ったときに滑りにくくするなどの補助的な効果も有する。
【００２９】
また、扁平形状の場合、横剛性が低いため、ボトルの周上に連続した凹みリブを配することが好ましい。
【００３０】
ボトル形状に関しては、断面形状のコーナーにC5以上の面取り（面落とし）もしくはR5以上の円弧落としを設けることにより延伸成形での成形性を向上させ、面取り・R取りを行わない場合に生じるひけなどの現象を防止することができるとともに容器の縦剛性を向上させることができる。中味を充填した際の縦荷重強度は15kg以上であることが好ましく、ケース高さが200〜230mm高さの場合、カートンに梱包されて積載された場合、ボトル１本あたり12kgの荷重がかかることになるため、安全率を考慮し、上記値と設定することが好ましい。
【００３１】
ここで、ケースの入数は12本以下とすることが好ましく、1000mlの製品の場合約12kgとなり、ケースでのハンドリングを支障なく行えることとなる。
【００３２】
ボトル肩部のテーパーに関しては、25°以上45°以下であることが好ましく、この寸法以上であれば、ボトル高さが高くなってしまい、この寸法以下であれば、充填機において干渉などを起こしてしまう問題がある。
【００３３】
上記形状とすることで販売棚において500ml製品が置いてある場所へ陳列できることとなり、その場合、長辺側を正面にするとスペースをとる場合もあるため、短辺側を正面にして陳列されるケースもあり、短辺からなるボトル側面２面に商品種を認識できるデザインが配されることが好ましい。
【図面の簡単な説明】
【００３４】
【図１】本発明実施形態の正面図である。
【図２】本発明実施形態の側面図である。
【図３】本発明実施形態の断面図である。
【符号の説明】
【００３５】
１・・・ボトル口部
２・・・面取り部
３・・・凹リブ
４・・・重心
５・・・減圧吸収パネル
６・・・ボトル肩部
７・・・ボトル本体
【図１】
2007039109.tif 000003
【図２】
2007039109.tif 000004
【図３】
2007039109.tif 000005